(57)【要約】      （修正有）【課題】破袋機の技術構成をより簡素化して、故障が少なく信頼性にとんだ、維持管理経費の少ない、耐久力のある破袋機を提供する。【解決手段】  搬送速度と回転方向が異なる複数のスクリューを回動時に当接しないように並行に配置し、各スクリューの一端には片持ち形式の軸支箱を設け、ケーシングに固着し、２のスクリューを収容するケーシングは、複数のスクリュー位置、形状に合わせて、略８の字形の内法面を有する筒型搬送区部及び処理する袋体を受け入れるための開放区部を合わせた形態に構成する。【選択図】  図１
2005144428.tif 000002
【特許請求の範囲】
【請求項１】
廃棄物の入った袋体を破袋するための複数のスクリューを断面が連続した略８の字状のケーシングに、回動時にお互いが当接しないように配置し、この複数のスクリューの搬送速度に高低差を付けて回動させたことを特徴とする破袋機。
【請求項２】
前記の複数のスクリューは、それぞれのスクリューの回転数、外径及びリードピッチの変更によって、その搬送速度に高低差を設けたことを特徴とする、請求項１に記載の破袋機。
【請求項３】
前記のスクリューの搬送始点側のケーシングに、処理物を取り込むための開口部を設けたことを特徴とする、請求項１または２に記載の破袋機。
【発明の詳細な説明】
【技術分野】
【０００１】  本発明は廃棄物処理機器のうち、工場または家庭から発生する廃棄物が入った袋体を自動的に破袋処理し、廃棄物等を次の工程に搬送する破袋機に関するものである。
【背景技術】
【０００２】  近年、廃棄物等を収容した袋体を破袋する手段として、袋の移動搬送機構に破袋を目的としたレーザービーム照射装置または交換刃物支持装置を加えた機器が多く生産、販売されている。【０００３】  以上に述べた従来の破袋機の課題点は、その構成が複雑で、導入費用が高価であるとともに、故障の発生る機会も多いと考えられ、維持管理費等の経費も大きく掛かっていた。
【発明の開示】
【発明が解決しようとする課題】
【０００４】レーザービーム方式ではレーザーの発信装置が複雑で高価であることと、袋の材質や膜厚によってはレーザービームで破袋できない場合が予想される。【０００５】  交換式刃物によるカット方式は、定期的に刃物の交換整備が必要である。また刃物と袋体との関係距離を一定に保つために搬送機構や刃物の支持機構が重要で、複雑な構造となりがちで、製造コストは高価になると共に、信頼性は低下することが予測される。【０００６】  本発明は、このような従来の技術が持ち合わせている課題を解決しようとするものであり、破袋機の技術構成をより簡素化して、故障が少なく信頼性にとんだ、維持管理経費の少ない、耐久力のある破袋機の実現を目的とするものである。
【課題を解決するための手段】
【０００７】  本発明は上述の目的を達成するために、搬送速度と回転方向が異なる複数のスクリューを回動時に当接しないように並行に配置し、各スクリューの一端には軸支箱を設け、後述のケーシングに固着する。【０００８】  複数のスクリューを収容するケーシングは、袋体効率良く破袋するために、複数のスクリュー位置形状に合わせて、略８の字形またはその連結形の内法面を有する筒型搬送区部と処理する袋体を受け入れるための開放取り込み区部を合わせた形態に成型し構成する。【０００９】  上記の解決手段による作用は次の通りである。すなわち、ケーシングの取り込み区部に上方より取り込まれた廃棄物入りの袋体は複数のスクリューの回動により、まずスクリューに噛みこまれたあと、搬送方向を同じくして対称方向に廻動する複数のスクリューの搬送の速度差と対称回動による距離の転移に伴って袋体の袋は徐々に引き伸ばされ、やがて伸びの限界に至り引き千切られ、袋は破袋される。【００１０】  また、個発明の請求項２に記載の発明は、
請求項１に記載の対称方向に回動する複数のスクリューの搬送方向の速度差と回動方向の回転移動による距離の転移を現出するためのもので、複数のスクリューの搬送速度の高低差を得る手段として、それぞれのスクリューの回転数、外径及びリードピッチの変更によって、その搬送速度に高低差を設けきこうを得て、さらに複数のスクリュー回転数を、駆動機構系の制御方式で設定することにより、破袋作用を実現する手段を得る。【００１１】  また、この発明の請求項３に記載の発明は、
略８の字形またはその連結形の内法面を有する筒型状ケーシングにおいて、スクリューの搬送始点側のケーシング区分に処理物を取り込むための開口部を設けたことを特徴とする構成で、略８の字状のケーシング内面と連続した傾斜壁面及び傾斜した仕切り壁面とを有する、袋体の投入およびスクリューの噛み込みに適した形状の開放区分を形成するものである。
【発明の効果】
【００１２】  上述したように本発明の破袋機は、その構成が従来方式より単純であるため故障等の機会はより少なくなることが予測できる。また機械要素としてのスクリュー搬送機構は長年各産業分野に多く用いられていて、軟質から硬質の各種物質の搬送に適していることは業界では認められていることで。その寿命及び信頼性においても従来の破袋機の構成技術より優位であると判断できる。【００１３】  従来方式より単純であるため製造コストも廉価となり、安い価格の破袋機を産業の社会に提供できる。【００１４】  また、従来技術によるは破袋機は高度で複雑な技術を要するレーザー発振装置や磨耗のによる刃物の交換行為を必要とすることに比較して、本発明の破袋機は簡潔な構造ゆえにその維持管理費用を軽減できる。【００１５】  本発明の破袋機は、袋の収容物が廃棄物のほか肥料、穀物等粉粒物や流動性のある多くの物質においてもその効果を得ることが可能である。
【発明を実施するための最良の形態】
【００１６】  以下本発明の実施の形態として一実施例を図１〜図３に基づいて説明する。【００１７】  図において１は上方に開放部を設けた袋体の取り込み部区分１Ａと袋体を搬送及び破袋する略８の字状のケーシング区分１Ｂを設けたケーシングである。【００１８】２，３は軸支箱を有するスクリューで、それぞれのスクリューの巻き方向と回転方向は対称になるように構成し、袋体の袋の材質、大きさ及び内容物の物性に合わせて、スクリュー２，３の搬送速度に高低の速度差を設定する。【００１９】  ２のスクリュー２，３は図示していない減速モーター及び駆動機構をそれぞれに連結して設定し、それぞれのスクリューの目的の搬送速度に合った回転方向と回転速度の運転が可能な制御構成をも備えている。【００２０】  ２のスクリューは上述の条件のうち、搬送速度の高低差を得る手段として、同じリードピッチのスクリュー同士の場合は、それぞれのスクリュー２，３の回転数の差を付けて運転することでも可能である。【００２１】  また同様に搬送速度の高低差を得る手段としては、スクリュー２，３のそれぞれのリードピッチに大小の差を設けた愛場合は、スクリュー２，３の回転数を同程度に設定して制御運転によっても可能である。【００２２】  対称方向に回動する２のスクリュー２，３の搬送方向の速度差と廻動方向の回転移動による距離の転移をより確実に得ること及びスクリューとケーシングの接触長さをより大きく得るために、ケーシング１には２のスクリュー２，３の形状に合った略８の字形の内法面を有する筒状搬送区分１Ｂを設けている。【００２３】  ケーシングの開放区部の対称側は、略８の字状のケーシングの円筒形状内燃を延長した形状とすることが望ましい。【００２４】  以下、上記構成の動作を説明する。
ケーシング１の取り込み区分１Ａの上方に設けたホッパー４に投入された袋体５は回動するスクリュー２，３の中間から噛み込まれる。噛みこまれた袋体はこのあと搬送方向を同じくして、対称方向に廻動する２のスクリュー２，３の搬送方向の速度差と回動方向の回転移動による距離の転移に伴って袋体５の袋は徐々に引き伸ばされて、やがて伸びの限界に至り引き千切られ、やがて袋は破袋される。【００２５】  ２のスクリュー２，３の作動条件の設定は袋体５の袋の材質、大きさ及び袋に収容されている処理物の物性に合わせて、適宜な条件を実験的に求めて設定する。またスクリュー２，３の回転数の制御は図示していない駆動モーター用インバーター等を制御して行うことも可能である。
【図面の簡単な説明】
【００２６】
【図１】本発明の実施例を示す縦断面図。
【図２】ケーシングの搬送区分の断面図
【図１】
2005144428.tif 000003
【図２】
2005144428.tif 000004